(57)【特許請求の範囲】
【請求項１】
無端状ベルトの内側において前記無端状ベルトの周回方向と直交する方向を向くように配置される軸部材を軸受する軸受部材と、
前記軸部材の軸方向に対し９０度未満の角度で交差する方向に沿って配置され、回転することで前記軸部材の軸方向に対し９０度未満の角度で交差する方向に変位する調整ネジと、
前記軸受部材に弾性部材を介して接続されると共に前記調整ネジに接触され、前記軸部材が前記無端状ベルトを押圧する押圧力の調整が行われるように、前記調整ネジの変位に応じて前記弾性部材を変形させる方向に移動する移動部材と、
を有し、
前記軸受部材は、前記軸部材の両側の端部を受ける一対の部材から構成されており、
前記調整ネジおよび前記移動部材はそれぞれ、前記一対の部材に対応して一対設けられており、
前記一対の調整ネジは共に前記軸部材の軸方向における一端側から回転操作可能とされている、
軸受装置。
【請求項２】
無端状ベルトの内側において前記無端状ベルトの周回方向と直交する方向を向くように配置される軸部材を軸受する軸受部材と、
前記軸部材の軸方向に対し９０度未満の角度で交差する方向に沿って配置され、回転することで前記軸部材の軸方向に対し９０度未満の角度で交差する方向に変位する調整ネジと、
前記軸受部材に弾性部材を介して接続されると共に前記調整ネジに接触され、前記軸部材が前記無端状ベルトを押圧する押圧力の調整が行われるように、前記調整ネジの変位に応じて前記弾性部材を変形させる方向に移動する移動部材と、
を有し、
前記調整ネジは、前記軸部材の略軸方向に沿って配置され、回転することで前記軸部材
の略軸方向に変位する、
軸受装置。
【請求項３】
無端状ベルトの内側において前記無端状ベルトの周回方向と直交する方向を向くように配置される軸部材を軸受する軸受部材と、
前記軸部材の軸方向に対し９０度未満の角度で交差する方向に沿って配置され、回転することで前記軸部材の軸方向に対し９０度未満の角度で交差する方向に変位する調整ネジ
と、
前記軸受部材に取り付けられると共に前記調整ネジに接触され、前記軸部材の軸方向に直交する方向における前記軸部材の位置の調整が行われるように、前記調整ネジの変位に応じて前記軸部材の軸方向に直交する方向に移動する移動部材と、
を有し、
前記軸受部材は、前記軸部材の両側の端部を受ける一対の部材から構成されており、
前記調整ネジおよび前記移動部材はそれぞれ、前記一対の部材に対応して一対設けられており、
前記一対の調整ネジは共に前記軸部材の軸方向における一端側から回転操作可能とされている、
軸受装置。
【請求項４】
無端状ベルトの内側において前記無端状ベルトの周回方向と直交する方向を向くように配置される軸部材を軸受する軸受部材と、
前記軸部材の軸方向に対し９０度未満の角度で交差する方向に沿って配置され、回転することで前記軸部材の軸方向に対し９０度未満の角度で交差する方向に変位する調整ネジ
と、
前記軸受部材に取り付けられると共に前記調整ネジに接触され、前記軸部材の軸方向に直交する方向における前記軸部材の位置の調整が行われるように、前記調整ネジの変位に応じて前記軸部材の軸方向に直交する方向に移動する移動部材と、
を有し、
前記調整ネジは、前記軸部材の略軸方向に沿って配置され、回転することで前記軸部材
の略軸方向に変位する、
軸受装置。
【請求項５】
前記調整ネジは、前記軸部材の略軸方向に沿って配置され、回転することで前記軸部材の略軸方向に変位する請求項１または２に記載の軸受装置。
【請求項６】
静電潜像が形成される像保持体と、
前記像保持体に形成された静電潜像をトナーで現像する現像装置と、
前記現像装置によって現像されたトナー像を無端状ベルトに転写する転写装置と、
前記転写装置の無端状ベルトの内側において前記無端状ベルトの周回方向と直交する方向を向くように配置される軸部材を軸受する請求項１〜５のいずれか１項に記載の軸受装置と、
を有する画像形成装置。
【発明の詳細な説明】
【技術分野】
【０００１】
本発明は、軸受装置および画像形成装置に関する。
【背景技術】
【０００２】
特許文献１には、軸受部材（Ｒ）と、押圧方向に沿って移動可能に構成した可動保持部（２７０Ｍ）と、可動保持部（２７０Ｍ）を相対移動可能に保持する固定保持部（２７０Ｆ）とを備え、可動保持部（２７０Ｍ）と固定保持部（２７０Ｆ）とは押圧方向と直交する対向面（２７０Ｍｐ0，２７０Ｆｐ0）にて互いに対向していると共に、一方の対向面（２７０Ｍｐ0）に調整螺子（ＳＷ）を挿通し、この調整螺子（ＳＷ）の先端を他方の対向面（２７０Ｆｐ0）に接触させる構成とし、この調整螺子（ＳＷ）を回転することで、軸部材（２６０）が無端状ベルト（２５）を押圧する押圧力の調整を行えるようにした軸受装置が開示されている。
【先行技術文献】
【特許文献】
【０００３】
【特許文献１】特開２０１０−１３４３２５号公報
【発明の概要】
【発明が解決しようとする課題】
【０００４】
本発明は、従来技術に比べて、軸部材が無端状ベルトを押圧する押圧力の調整を容易に行えるようにした軸受装置を提供することを目的とする。または、軸部材の軸方向に直交する方向における軸部材の位置の調整を容易に行えるようにした軸受装置を提供することを目的とする。
【課題を解決するための手段】
【０００５】
本発明の請求項１および２の軸受装置は、無端状ベルトの内側において前記無端状ベルトの周回方向と直交する方向を向くように配置される軸部材を軸受する軸受部材と、前記軸部材の軸方向に対し９０度未満の角度で交差する方向に沿って配置され、回転することで前記軸部材の軸方向に対し９０度未満の角度で交差する方向に変位する調整ネジと、前記軸受部材に弾性部材を介して接続されると共に前記調整ネジに接触され、前記軸部材が前記無端状ベルトを押圧する押圧力の調整が行われるように、前記調整ネジの変位に応じて前記弾性部材を変形させる方向に移動する移動部材と、を有することを特徴とする。
【０００６】
本発明の請求項３および４の軸受装置は、無端状ベルトの内側において前記無端状ベルトの周回方向と直交する方向を向くように配置される軸部材を軸受する軸受部材と、前記軸部材の軸方向に対し９０度未満の角度で交差する方向に沿って配置され、回転することで前記軸部材の軸方向に対し９０度未満の角度で交差する方向に変位する調整ネジと、前記軸受部材に取り付けられると共に前記調整ネジに接触され、前記軸部材の軸方向に直交する方向における前記軸部材の位置の調整が行われるように、前記調整ネジの変位に応じて前記軸部材の軸方向に直交する方向に移動する移動部材と、を有することを特徴とする。
【０００７】
本発明の請求項１および３の軸受装置は、前記軸受部材は、前記軸部材の両側の端部を受ける一対の部材から構成されており、前記調整ネジおよび前記移動部材はそれぞれ、前記一対の部材に対応して一対設けられており、前記一対の調整ネジは共に前記軸部材の軸方向における一端側から回転操作可能とされていることを特徴とする。
【０００８】
本発明の請求項２、４および５の軸受装置は、前記調整ネジは、前記軸部材の略軸方向に沿って配置され、回転することで前記軸部材の略軸方向に変位することを特徴とする。
【０００９】
本発明の請求項６の画像形成装置は、静電潜像が形成される像保持体と、前記像保持体に形成された静電潜像をトナーで現像する現像装置と、前記現像装置によって現像されたトナー像を無端状ベルトに転写する転写装置と、前記転写装置の無端状ベルトの内側において前記無端状ベルトの周回方向と直交する方向を向くように配置される軸部材を軸受する請求項１〜５のいずれか１項に記載の軸受装置と、を有することを特徴とする。
【発明の効果】
【００１０】
本発明の請求項１および２に記載の軸受装置によれば、軸部材の軸方向に対し９０度未満の角度で交差する方向に沿って配置されない調整ネジ（軸部材の軸方向に対し９０度で交差する方向に沿って配置される調整ネジ）によって軸部材が無端状ベルトを押圧する押圧力の調整を行う場合に比べて、軸部材が無端状ベルトを押圧する押圧力の調整を容易に行うことができる。
【００１１】
本発明の請求項３および４に記載の軸受装置によれば、軸部材の軸方向に対し９０度未満の角度で交差する方向に沿って配置されない調整ネジ（軸部材の軸方向に対し９０度で交差する方向に沿って配置される調整ネジ）よって軸部材の軸方向に直交する方向における軸部材の位置の調整を行う場合に比べて、軸部材の軸方向に直交する方向の位置の調整を容易に行うことができる。
【００１２】
本発明の請求項３および４に記載の軸受装置によれば、一対の調整ネジがそれぞれ軸部材の軸方向における両側から回転操作可能とされている場合に比べて、軸部材が無端状ベルトを押圧する押圧力の調整または軸部材の軸方向に直交する方向の位置の調整を容易に行うことができる。
【００１３】
本発明の請求項２、４および５に記載の軸受装置によれば、軸部材の略軸方向に沿って配置されない調整ネジ（軸部材の軸方向に対し９０度で交差する方向に沿って配置される調整ネジ）によって軸部材が無端状ベルトを押圧する押圧力の調整を行う場合に比べて、軸部材が無端状ベルトを押圧する押圧力の調整を容易に行うことができる。また、軸部材の略軸方向に沿って配置されない調整ネジ（軸部材の軸方向に対し９０度で交差する方向に沿って配置される調整ネジ）よって軸部材の軸方向に直交する方向における軸部材の位置の調整を行う場合に比べて、軸部材の軸方向に直交する方向の位置の調整を容易に行うことができる。
【００１４】
本発明の請求項６に記載の画像形成装置によれば、請求項１〜５のいずれかに記載の軸受装置を有しない場合に比べて、形成される画像の画質を容易に調整することができる。
【図面の簡単な説明】
【００１５】
【図１】本実施形態に係る軸受装置を含む画像形成装置の構成を示す図である。
【図２】図１の感光体の周辺の構成を示す図である。
【図３】図２の軸受装置の構成を示す斜視図である。
【図４】図３の正面側の軸受部を拡大して示す斜視図である。
【図５】図３の正面側の軸受部を拡大して示す上面図である。
【図６】図３の背面側の軸受部を拡大して示す斜視図である。
【図７】図３の背面側の軸受部を拡大して示す上面図である。
【発明を実施するための形態】
【００１６】
以下、本発明に係る軸受装置および画像形成装置の実施形態について、添付の図面を用いて説明する。
【００１７】
（画像形成装置）
図１は、本発明に係る軸受装置を含む画像形成装置の一例としての画像形成装置１０を示している。この画像形成装置１０は、上下方向（矢印Ｖで示す方向）の下側から上側へ向けて、記録用紙Ｐが収容される用紙収容部１２と、用紙収容部１２の上に設けられ用紙収容部１２から供給される記録媒体の一例としての記録用紙Ｐに画像形成を行う画像形成部１４と、画像形成部１４の上に設けられ読取原稿Ｇを読み取る原稿読取部１６と、画像形成部１４内に設けられ画像形成装置１０の各部の動作を制御する制御部２０と、を含んで構成されている。
【００１８】
用紙収容部１２は、サイズの異なる記録用紙Ｐが収容される第１収容部２２、第２収容部２４、及び第３収容部２６が設けられている。第１収容部２２、第２収容部２４、及び第３収容部２６には、収容された記録用紙Ｐを画像形成装置１０内に設けられた搬送路２８に送り出す送り出しロール３２が設けられており、搬送路２８における送り出しロール３２よりも下流側には、記録用紙Ｐを一枚ずつ搬送するそれぞれ一対の搬送ロール３４及び搬送ロール３６が設けられている。また、搬送路２８における記録用紙Ｐの搬送方向で搬送ロール３６よりも下流側には、記録用紙Ｐを一旦停止させるとともに、決められたタイミングで後述する二次転写位置ＱＢ（図２参照）へ送り出す位置合せロール３８が設けられている。
【００１９】
搬送路２８の上流側部分（搬送ロール３６が設けられている部位）は、画像形成装置１０の正面視において、矢印Ｖで示す方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００２０】
両面搬送路２９は、画像形成装置１０の正面視において、搬送路２８と両面搬送路２９との切り替えを行う第１切替部材３１と、画像形成部１４の右側下部から用紙収容部１２の右側まで矢印Ｖで示す方向（図示の下向きが−Ｖ、上向きが＋Ｖ）に直線状に設けられた反転部３３と、反転部３３に搬送された記録用紙Ｐの後端が進入するとともに矢印Ｈで示す方向とは逆向きに搬送される搬送部３７と、反転部３３と搬送部３７との切り替えを行う第２切替部材３５と、を有している。そして、反転部３３には、一対の搬送ロール４２が間隔をあけて複数箇所に設けられており、搬送部３７には、一対の搬送ロール４４が間隔をあけて複数箇所に設けられている。
【００２１】
第１切替部材３１は、三角柱状の部材であり、駆動手段（図示省略）によって先端部が搬送路２８又は両面搬送路２９のいずれか一方に移動されることで、記録用紙Ｐの搬送方向を切り替えるようになっている。同様に、第２切替部材３５は、正面視で三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に案内部材（図示省略）により接続されている。また、画像形成部１４の左側面には折り畳み式の手差給紙部４６が設けられており、手差給紙部４６から送り込まれる記録用紙Ｐの搬送経路が、搬送路２８における位置合せロール３８よりも手前側（上流側）に接続されている。
【００２２】
原稿読取部１６は、読取原稿Ｇを１枚ずつ自動で搬送する原稿搬送装置５２と、原稿搬送装置５２の下側に配置され１枚の読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。
【００２３】
原稿搬送装置５２は、一対の搬送ロール５３が複数配置された自動搬送路５５を有しており、自動搬送路５５の一部は記録用紙Ｐがプラテンガラス５４上を通るように配置されている。また、原稿読取装置５６は、プラテンガラス５４の左端部に静止した状態で原稿搬送装置５２によって搬送された読取原稿Ｇを読み取るようになっている。
【００２４】
一方、画像形成部１４は、トナー画像（現像剤像）を形成する画像形成ユニット５０を有している。画像形成ユニット５０は、感光体６２、帯電部材６４、露光装置６６、現像装置７０、及びクリーニング装置７３を含んで構成されている。
【００２５】
画像形成部１４における装置本体１０Ａの中央には、像保持体の一例としての円筒状の感光体６２が設けられている。感光体６２は、駆動手段（図示省略）によって矢印＋Ｒで示す方向（時計回り方向）に回転すると共に光照射によって形成される静電潜像を保持するようになっている。また、感光体６２の上側で且つ感光体６２の外周面と対向する位置には、感光体６２の表面を帯電するコロトロン方式の帯電部材６４が設けられている。
【００２６】
感光体６２の回転方向における帯電部材６４よりも下流側で且つ感光体６２の外周面と対向する位置には、露光装置６６が設けられている。露光装置６６は、図示しない半導体レーザ、ｆ−θレンズ、ポリゴンミラー、結像レンズ、及び複数のミラーを有しており、画像信号に基づき半導体レーザから出射されたレーザ光をポリゴンミラーで偏向走査し、帯電部材６４により帯電された感光体６２の外周面に照射（露光）して、静電潜像を形成するようになっている。なお、露光装置６６は、レーザ光をポリゴンミラーで偏向走査する方式に限らず、ＬＥＤ（Ｌｉｇｈｔ  Ｅｍｉｔｔｉｎｇ  Ｄｉｏｄｅ）方式であってもよい。
【００２７】
感光体６２の回転方向で露光装置６６の露光光が照射される部位よりも下流側には、感光体６２の外周面に形成された静電潜像を決められた色のトナーで現像して可視化させる回転切り替え式の現像装置７０が設けられている。
【００２８】
図２に示すように、現像装置７０は、イエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、周方向に（図示の反時計回り方向にこの順番で）並んで配置されており、モータ（図示省略）によって中心角で６０°ずつ回転することで、現像処理を行う現像器７２Ｙ、７２Ｍ、７２Ｃ、７２Ｋ、７２Ｅ、７２Ｆが切り替えられ、感光体６２の外周面と対向するようになっている。なお、第１特別色Ｅ及び第２特別色Ｆは、イエロー、マゼンタ、シアン、ブラック以外の特別色（透明を含む）から選択される。これら現像器７２Ｙ、７２Ｍ、７２Ｃ、７２Ｋ、７２Ｅ、７２Ｆにはそれぞれ、各トナー色のトナーが、交換可能なトナーカートリッジ７８Ｙ、７８Ｍ、７８Ｃ、７８Ｋ、７８Ｅ、７８Ｆ（図１参照）から供給される。
【００２９】
図２において、現像器７２Ｙ、７２Ｍ、７２Ｃ、７２Ｋ、７２Ｅ、７２Ｆは同一構成であるため、ここでは代表として現像器７２Ｙについて説明する。
【００３０】
現像器７２Ｙは、本体となるケース部材７６を有しており、ケース部材７６内には、トナーカートリッジ７８Ｙ（図１参照）からトナー供給路（図示省略）を経由して供給されるトナー及びキャリアから成る現像剤（図示省略）が充填されている。また、ケース部材７６には、感光体６２の外周面と対向して矩形状の開口部７６Ａが形成されており、開口部７６Ａには、外周面が感光体６２の外周面と対向する現像ロール７４が設けられている。さらに、ケース部材７６内で開口部７６Ａに近い部位には、現像剤の層厚を規制するための板状の規制部材７９が、開口部７６Ａの長手方向に沿って設けられている。
【００３１】
現像ロール７４は、回転可能に設けられた円筒状の現像スリーブ７４Ａと、現像スリーブ７４Ａの内側に固定された複数の磁極から成る磁性部材７４Ｂとで構成されており、現像スリーブ７４Ａが回転することで現像剤（キャリア）の磁気ブラシが形成されると共に、規制部材７９で層厚が規制されることで、現像スリーブ７４Ａの外周面に現像剤層を形成するようになっている。そして、現像スリーブ７４Ａの外周面の現像剤層は、現像スリーブ７４Ａの回転により感光体６２に対向する位置に搬送され、感光体６２の外周面に形成された潜像（静電潜像）に応じたトナーを付着させて現像を行う。
【００３２】
また、ケース部材７６内には、螺旋状に形成された搬送ロール７７が２本回転可能に並列配置されており、この２本の搬送ロール７７が回転することで、ケース部材７６内に充填された現像剤が、現像ロール７４の軸方向（現像器７２Ｙの長手方向）に循環搬送されるようになっている。なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が感光体６２の外周面と対向するようになっている。
【００３３】
図２に示すように、感光体６２の回転方向で現像装置７０よりも下流側であり且つ感光体６２の下側には、感光体６２の外周面に形成されたトナー画像を記録用紙Ｐに転写する転写装置５８が設けられている。転写装置５８は、中間転写ベルト６８を有している。中間転写ベルト６８は、無端状であり、制御部２０により回転駆動される駆動ロール６１、中間転写ベルト６８に張力を付与するための張力付与ロール６５、中間転写ベルト６８の裏面に接触して従動回転する複数の搬送ロール６３、及び後述する二次転写位置ＱＢにおいて中間転写ベルト６８の裏面に接触して従動回転する補助ロール６９に巻き掛けられている。そして、中間転写ベルト６８は、駆動ロール６１が回転することにより、矢印−Ｒで示す方向（反時計回り方向）に周回移動するようになっている。
【００３４】
また、中間転写ベルト６８を挟んで感光体６２の反対側には、感光体６２の外周面に形成されたトナー画像を中間転写ベルト６８に一次転写させる軸部材の一例としての一次転写ロール６７が設けられている。一次転写ロール６７は、感光体６２と中間転写ベルト６８とが接触する位置（これを一次転写位置ＱＡとする）から中間転写ベルト６８の移動方向下流側に離れた位置で、中間転写ベルト６８の裏面に接触するように軸受装置１００によって軸受されている。
【００３５】
軸受装置１００は、一次転写ロール６７が中間転写ベルト６８を押圧する押圧力の調整が行われるように、また一次転写ロール６７の軸方向（図中の矢印Ｙで示す方向）に直交する方向であって中間転写ベルト６８の移動方向に沿う方向（図中の矢印Ｘで示す方向）において一次転写ロール６７の位置の調整が行われるように構成されている。軸受装置１００の構成については後述する。なお、一次転写ロール６７が中間転写ベルト６８を押圧する方向（図中の矢印Ｚで示す方向）と一次転写ロール６７の軸方向（図中の矢印Ｙで示す方向）と一次転写ロール６７の位置調整方向（図中の矢印Ｘで示す方向）とは互いに直交する方向とされる。
【００３６】
そして、一次転写ロール６７は、電源（図示省略）から通電されることにより、接地されている感光体６２との電位差で感光体６２のトナー画像を中間転写ベルト６８に一次転写するようになっている。
【００３７】
さらに、中間転写ベルト６８を挟んで補助ロール６９の反対側には、中間転写ベルト６８上に一次転写されたトナー画像を記録用紙Ｐに二次転写させる二次転写ロール７１が設けられており、二次転写ロール７１と補助ロール６９との間が記録用紙Ｐへトナー画像を転写する二次転写位置ＱＢとされている。二次転写ロール７１は、接地されると共に中間転写ベルト６８の表面に接触しており、電源（図示省略）から通電された補助ロール６９と二次転写ロール７１との電位差で、中間転写ベルト６８のトナー画像を記録用紙Ｐに二次転写するようになっている。なお、二次転写位置ＱＢは、前述の搬送路２８（図１参照）の途中に設定されている。
【００３８】
また、中間転写ベルト６８を挟んで駆動ロール６１の反対側には、中間転写ベルト６８の二次転写後の残留トナーを回収するクリーニングブレード５９が設けられている。クリーニングブレード５９は、開口部が形成された筐体（図示省略）に取り付けられており、クリーニングブレード５９の先端部で掻き取られたトナーが、筐体内に回収されるようになっている。
【００３９】
中間転写ベルト６８の周囲で搬送ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。位置検出センサ８３は、中間転写ベルト６８に向けて光を照射すると共にマークの表面で反射された光を受光することで、中間転写ベルト６８の移動位置を検出するようになっている。
【００４０】
一方、感光体６２の回転方向で一次転写ロール６７よりも下流側には、中間転写ベルト６８に一次転写されずに感光体６２の表面に残留した残留トナー等を清掃するクリーニング装置７３が設けられている。クリーニング装置７３は、感光体６２表面に接触するクリーニングブレード及びブラシロールにより残留トナー等を回収する構成となっている。
【００４１】
また、感光体６２の回転方向でクリーニング装置７３の上流側（一次転写ロール６７よりも下流側）には、感光体６２の外周面に一次転写後に残留したトナーの除電を行うコロトロン８１が設けられている。さらに、感光体６２の回転方向でクリーニング装置７３の下流側（帯電部材６４よりも上流側）には、クリーニング後の感光体６２の外周面に光を照射して除電を行う除電装置７５が設けられている。
【００４２】
図１に示すように、搬送路２８における記録用紙Ｐの搬送方向（矢印Ａで示す方向）で二次転写ロール７１よりも下流側には、二次転写ロール７１によって記録用紙Ｐに転写されたトナー画像を永久画像として定着させる定着装置８４が設けられている。記録用紙Ｐの搬送方向で定着装置８４よりも下流側には、定着装置８４によって定着が行われた記録用紙Ｐの変形（しわや撓みなど）を矯正して平らにするデカーラ３９が設けられている。
【００４３】
次に、画像形成装置１０における画像形成プロセスについて説明する。
【００４４】
画像形成装置１０が作動すると、画像処理装置（図示省略）又は外部から、イエロー（Ｙ）、マゼンタ（Ｍ）、シアン（Ｃ）、黒（Ｋ）、第１特別色（Ｅ）、第２特別色（Ｆ）の各色の画像データが露光装置６６に順次出力される。このとき、一例として、現像装置７０は、現像器７２Ｙ（図２参照）が感光体６２の外周面と対向するように回転し保持されている。
【００４５】
続いて、露光装置６６から画像データに応じて出射された光は、帯電部材６４により帯電された感光体６２の外周面（表面）を露光し、感光体６２の表面にはイエローの画像データに対応した静電潜像が形成される。さらに、感光体６２の表面に形成された静電潜像は、現像器７２Ｙによってイエローのトナー画像として現像される。そして、感光体６２の表面のイエローのトナー画像は、一次転写ロール６７によって中間転写ベルト６８に転写される。
【００４６】
続いて、現像装置７０が矢印＋Ｒで示す方向に６０°回転され、現像器７２Ｍが感光体６２の表面と対向する。そして、帯電、露光、現像の各工程が行われ、感光体６２の表面のマゼンタのトナー画像は、一次転写ロール６７によって中間転写ベルト６８のイエローのトナー画像上に重なるように転写される。同様にして、シアン（Ｃ）、黒（Ｋ）、第１特別色（Ｅ）、及び第２特別色（Ｆ）のトナー画像が中間転写ベルト６８上に順次多重転写される。
【００４７】
一方、用紙収容部１２から送り出され、搬送路２８を搬送されてきた記録用紙Ｐは、位置合せロール３８により、中間転写ベルト６８への各トナー画像の多重転写とタイミングを合わせて二次転写位置ＱＢに搬送される。そして、中間転写ベルト６８上に多重転写されたトナー画像は、二次転写位置ＱＢに搬送されてきた記録用紙Ｐ上に二次転写ロール７１によって二次転写される。
【００４８】
続いて、トナー画像が転写された記録用紙Ｐは、定着装置８４に向けて図１中の矢印Ａで示す方向に搬送される。そして、定着装置８４において、記録用紙Ｐ上のトナー画像が永久画像として定着される。定着処理された記録用紙Ｐは、デカーラ３９によって変形（しわや撓みなど）が矯正され、排紙部１５に排出される。なお、記録用紙Ｐの両面に画像を形成する場合には、記録用紙Ｐは、表面に対して画像形成及び定着が行われた後、反転部３３に送り込まれて反転し、二次転写位置ＱＢに再び搬送される。そして、この記録用紙Ｐの裏面に対して、画像形成及び定着が行われる。
【００４９】
（軸受装置）
次に、軸受装置１００の構成について説明する。
【００５０】
図３に示すように、一次転写ロール６７は、中間転写ベルト６８の周回方向と直交する方向を向くように中間転写ベルト６８の内側に配置されている。軸受装置１００は、この一次転写ロール６７を両端側において軸受する一対の軸受部１０２Ｆ、１０２Ｒから構成されている。軸受部１０２Ｆは画像形成装置１０の正面側に配置されるものであり、軸受部１０２Ｒは画像形成装置１０の背面側に配置されるものである。以降において登場する部材に付す符号の添え字の「Ｆ」および「Ｒ」は、その部材がそれぞれ画像形成装置１０の正面側および背面側に関する部材であることを示す。
【００５１】
図３〜図５に示すように、軸受部１０２Ｆは、軸受部材１０４Ｆと２つの調整ネジ１０６Ｆ，１０８Ｆと２つの移動部材１１０Ｆ，１１２Ｆと弾性部材の一例としての圧縮コイルバネ１１４Ｆとを備えている。
【００５２】
軸受部材１０４Ｆは、「Ｕ」字形状の凹部において一次転写ロール６７をシャフト部６７ａで軸受している。なお、軸受部材１０４ＦのＸ方向における両側の外側面には、Ｚ方向に沿う溝１１６Ｆが形成されている。
【００５３】
２つの調整ネジ１０６Ｆ，１０８Ｆはそれぞれ、転写装置５８のベースフレーム（図示省略）に支持されている。そして、２つの調整ネジ１０６Ｆ，１０８Ｆはそれぞれ、一次転写ロール６７の軸方向に沿って配置され、回転することで一次転写ロール６７の軸方向に変位するようになっている。調整ネジ１０６Ｆは、一次転写ロール６７のＸ方向における位置を調整するためのものである。調整ネジ１０８Ｆは、一次転写ロール６７が中間転写ベルト６８を押圧する押圧力を調整するためのものである。なお、２つの調整ネジ１０６Ｆ，１０８Ｆはそれぞれ、一次転写ロール６７の略軸方向に沿って配置されているものであればよく、広義には一次転写ロール６７の軸方向に対し９０度未満の角度で交差する方向に沿って配置されているものであればよい。そして、２つの調整ネジ１０６Ｆ，１０８Ｆはそれぞれ、回転することで一次転写ロール６７の略軸方向に変位するようになっているものであればよく、広義には一次転写ロール６７の軸方向に対し９０度未満の角度で交差する方向に変位するものであればよい。
【００５４】
移動部材１１０Ｆは、ＸＹ平面に広がるプレート部１１８Ｆとプレート部１１８ＦからＺ方向に立脚する２つの立脚部１２０Ｆ，１２２Ｆとから構成されている。そして、移動部材１１０Ｆは、転写装置５８のベースフレーム（図示省略）にＸ方向のみにおいて移動自在に支持されている。移動部材１１０Ｆの２つの立脚部１２０Ｆ，１２２Ｆの相対する側の面には、軸受部材１０４Ｆの両側の外側面の溝１１６Ｆに対応する凸部１２４Ｆが形成されている。この凸部１２４Ｆに溝１１６Ｆを介挿させる形で軸受部材１０４Ｆが移動部材１１０Ｆに取り付けられている。
【００５５】
図５に示すように、移動部材１１０Ｆのプレート部１１８Ｆの調整ネジ１０６Ｆ側の側面は、調整ネジ１０６Ｆが変位する方向であるＹ方向に交差する法線を有する傾斜面１２６Ｆとされている。この傾斜面１２６Ｆに調整ネジ１０６Ｆの先端が接触させられており、調整ネジ１０６Ｆが時計回りに回転されて＋Ｙ方向に変位すると、移動部材１１０Ｆが傾斜面１２６Ｆで押されて＋Ｘ方向に移動する。また、移動部材１１０Ｆは引張バネ（図示省略）によって−Ｘ方向に付勢されており、調整ネジ１０６Ｆが反時計回りに回転されて−Ｙ方向に変位すると、引張バネの付勢力によって移動部材１１０Ｆは傾斜面１２６Ｆにおいて調整ネジ１０６Ｆとの接触を維持するように−Ｘ方向に移動する。即ち、調整ネジ１０６ＦのＹ方向における変位に応じて移動部材１１０ＦがＸ方向において移動するようになっている。
【００５６】
図４に示すように、移動部材１１２Ｆは、Ｚ方向のみにおいて移動自在となるように移動部材１１０Ｆに支持されている。移動部材１１２Ｆと軸受部材１０４Ｆとは、圧縮コイルバネ１１４Ｆを介して接続されている。即ち、圧縮コイルバネ１１４Ｆの上面が軸受部材１０４Ｆの下面に接触し、圧縮コイルバネ１１４Ｆの下面が移動部材１１２Ｆの上面に接触するように、圧縮コイルバネ１１４Ｆは移動部材１１２Ｆと軸受部材１０４Ｆとの間に介挿されている。
【００５７】
移動部材１１２Ｆの調整ネジ１０８Ｆ側の側面は、調整ネジ１０８Ｆが変位する方向であるＹ方向に交差する法線を有する傾斜面１２８Ｆとされている。この傾斜面１２８Ｆに調整ネジ１０８Ｆの先端が接触させられており、調整ネジ１０８Ｆが時計回りに回転されて＋Ｙ方向に変位すると、移動部材１１２Ｆが傾斜面１２８Ｆで押されて＋Ｚ方向に移動する。一次転写ロール６７は中間転写ベルト６８に接触しており（図３参照）、軸受部材１０４ＦのＺ方向における移動は規制されているため、移動部材１１２Ｆが＋Ｚ方向に移動すると、圧縮コイルバネ１１４Ｆが圧縮変形する。即ち、移動部材１１２Ｆが＋Ｚ方向に移動しても軸受部材１０４Ｆは＋Ｚ方向に移動しないが、圧縮コイルバネ１１４Ｆが圧縮変形するため、その圧縮変形増加量分だけ一次転写ロール６７が中間転写ベルト６８を押圧する押圧力が増加するようになっている。
【００５８】
一方、調整ネジ１０８Ｆが反時計回りに回転されて−Ｙ方向に変位すると、圧縮コイルバネ１１４Ｆの付勢力によって移動部材１１２Ｆは傾斜面１２８Ｆにおいて調整ネジ１０８Ｆとの接触を維持するように−Ｚ方向に移動する。移動部材１１２Ｆが−Ｚ方向に移動すると、圧縮コイルバネ１１４Ｆが復元し、その復元量分だけ一次転写ロール６７が中間転写ベルト６８を押圧する押圧力が減少するようになっている。
【００５９】
このように、移動部材１１２Ｆが調整ネジ１０８ＦのＹ方向における変位に応じて圧縮コイルバネ１１４Ｆを変形させる方向（Ｚ方向）に移動することで、一次転写ロール６７が中間転写ベルト６８を押圧する押圧力が変化するようになっている。
【００６０】
図３、図６、図７に示すように、軸受部１０２Ｒは、軸受部材１０４Ｒと２つの調整ネジ１０６Ｒ，１０８Ｒと２つの移動部材１１０Ｒ，１１２Ｒと弾性部材の一例としての圧縮コイルバネ１１４Ｒとを備えている。
【００６１】
軸受部材１０４Ｒは、「Ｕ」字形状の凹部において一次転写ロール６７をシャフト部６７ａで軸受している。なお、軸受部材１０４ＲのＸ方向における両側の外側面には、Ｚ方向に沿う溝１１６Ｒが形成されている。
【００６２】
２つの調整ネジ１０６Ｒ，１０８Ｒはそれぞれ、調整ネジ１０６Ｆ，１０８Ｆに比べて長尺であり、画像形成装置１０の正面側から背面側に伸びるように転写装置５８のベースフレーム（図示省略）に支持されている。そして、２つの調整ネジ１０６Ｒ，１０８Ｒはそれぞれ、一次転写ロール６７の軸方向に沿って配置され、回転することで一次転写ロール６７の軸方向において変位するようになっている。調整ネジ１０６Ｒは、一次転写ロール６７のＸ方向における位置を調整するためのものである。調整ネジ１０８Ｒは、一次転写ロール６７が中間転写ベルト６８を押圧する押圧力を調整するためのものである。なお、２つの調整ネジ１０６Ｒ，１０８Ｒはそれぞれ、一次転写ロール６７の略軸方向に沿って配置されているものであればよく、広義には一次転写ロール６７の軸方向に対し９０度未満の角度で交差する方向に沿って配置されているものであればよい。そして、２つの調整ネジ１０６Ｒ，１０８Ｒはそれぞれ、回転することで一次転写ロール６７の略軸方向に変位するようになっているものであればよく、広義には一次転写ロール６７の軸方向に対し９０度未満の角度で交差する方向に変位するものであればよい。
【００６３】
移動部材１１０Ｒは、ＸＹ平面に広がるプレート部１１８Ｒとプレート部１１８ＲからＺ方向に立脚する２つの立脚部１２０Ｒ，１２２Ｒとから構成されている。そして、移動部材１１０Ｒは、転写装置５８のベースフレーム（図示省略）にＸ方向のみにおいて移動自在に支持されている。移動部材１１０Ｒの２つの立脚部１２０Ｒ，１２２Ｒの相対する側の面には、軸受部材１０４Ｒの両側の外側面の溝１１６Ｒに対応する凸部１２４Ｒが形成されている。この凸部１２４Ｒに溝１１６Ｒを介挿させる形で軸受部材１０４Ｒが移動部材１１０Ｒに取り付けられている。
【００６４】
移動部材１１０Ｒの立脚部１２２Ｒの外側面には、外側に突出する突出部１３０Ｒが形成されている。この突出部１３０Ｒの調整ネジ１０６Ｒ側の側面は、調整ネジ１０６Ｒが変位する方向であるＹ方向に対して交差する法線を有する傾斜面１２６Ｒとされている。この傾斜面１２６Ｒに調整ネジ１０６Ｒの先端が接触させられている。
【００６５】
図７に示すように、調整ネジ１０６Ｒが時計回りに回転されて＋Ｙ方向に変位すると、移動部材１１０Ｒが傾斜面１２６Ｒで押されて＋Ｘ方向に移動する。また、移動部材１１０Ｒは引張バネ（図示省略）によって−Ｘ方向に付勢されており、調整ネジ１０６Ｒが反時計回りに回転されて−Ｙ方向に変位すると、引張バネの付勢力によって移動部材１１０Ｒは傾斜面１２６Ｒにおいて調整ネジ１０６Ｒとの接触を維持するように−Ｘ方向に移動する。即ち、調整ネジ１０６ＲのＹ方向における変位に応じて移動部材１１０ＲがＸ方向において移動するようになっている。
【００６６】
図６に示すように、移動部材１１２Ｒは、Ｚ方向のみにおいて移動自在となるように移動部材１１０Ｒに支持されている。移動部材１１２Ｒと軸受部材１０４Ｒとは、圧縮コイルバネ１１４Ｒを介して接続されている。即ち、圧縮コイルバネ１１４Ｒの上面が軸受部材１０４Ｒの下面に接触し、圧縮コイルバネ１１４Ｒの下面が移動部材１１２Ｒの上面に接触するように、圧縮コイルバネ１１４Ｒは移動部材１１２Ｒと軸受部材１０４Ｒとの間に介挿されている。
【００６７】
移動部材１１２Ｒの調整ネジ１０８Ｒ側の側面は、調整ネジ１０８Ｒが変位する方向であるＹ方向に交差する法線を有する傾斜面１２８Ｒとされている。この傾斜面１２８Ｒに調整ネジ１０８Ｒの先端が接触させられており、調整ネジ１０８Ｒが時計回りに回転されて＋Ｙ方向に変位すると、移動部材１１２Ｒが傾斜面１２８Ｒで押されて＋Ｚ方向に移動する。一次転写ロール６７は中間転写ベルト６８に接触しており（図３参照）、軸受部材１０４ＲのＺ方向における移動は規制されているため、移動部材１１２Ｒが＋Ｚ方向に移動すると、圧縮コイルバネ１１４Ｒが圧縮変形する。即ち、移動部材１１２Ｒが＋Ｚ方向に移動しても軸受部材１０４Ｒは＋Ｚ方向に移動しないが、圧縮コイルバネ１１４Ｒが圧縮変形するため、その圧縮変形増加分だけ一次転写ロール６７が中間転写ベルト６８を押圧する押圧力が増加するようになっている。
【００６８】
一方、調整ネジ１０８Ｒが反時計回りに回転されて−Ｙ方向に変位すると、圧縮コイルバネ１１４Ｒの付勢力によって移動部材１１２Ｒは傾斜面１２８Ｒにおいて調整ネジ１０８Ｒとの接触を維持するように−Ｚ方向に移動する。移動部材１１２Ｒが−Ｚ方向に移動すると、圧縮コイルバネ１１４Ｒが復元し、その復元量分だけ一次転写ロール６７が中間転写ベルト６８を押圧する押圧力が減少するようになっている。
【００６９】
このように、移動部材１１２Ｒが調整ネジ１０８ＲのＹ方向における変位に応じて圧縮コイルバネ１１４Ｒを変形させる方向（Ｚ方向）に移動することで、一次転写ロール６７が中間転写ベルト６８を押圧する押圧力が変化するようになっている。
【００７０】
以上の如く、本実施形態に係る軸受装置１００においては、一次転写ロール６７の軸方向に沿って配置される一対の調整ネジ１０８Ｆ，１０８Ｒを回転操作することで、一次転写ロール６７が中間転写ベルト６８を押圧する押圧力の調整が行われるようになっている。従って、押圧力の調整を行うに際して転写装置５８を装置本体１０Ａから引き出す必要がなく、押圧力の調整を容易に行える。これに対し、調整ネジ１０８Ｆ，１０８Ｒが一次転写ロール６７の軸方向に直交する方向に沿って配置されている場合には、押圧力の調整を行うに際して転写装置５８を装置本体１０Ａから引き出す必要があり、押圧力の調整が困難となる。
【００７１】
また、これら一対の調整ネジ１０８Ｆ，１０８Ｒが共に一次転写ロール６７の軸方向における一端側（画像形成装置１０の正面側）から回転操作可能とされているので、押圧力の調整をさらに容易に行える。これに対し、一対の調整ネジ１０８Ｆ，１０８Ｒがそれぞれ一次転写ロール６７の軸方向における両側（画像形成装置１０の正面側と背面側）から回転操作可能とされている場合には、押圧力の調整が困難となる。
【００７２】
また、一次転写ロール６７の軸方向に沿って配置される一対の調整ネジ１０６Ｆ，１０６Ｒを回転操作することで、一次転写ロール６７の軸方向に直交する方向における一次転写ロール６７の位置の調整が行われるようになっている。従って、位置の調整を行うに際して転写装置５８を装置本体１０Ａから引き出す必要がなく、位置の調整を容易に行える。これに対し、調整ネジ１０６Ｆ，１０６Ｒが一次転写ロール６７の軸方向に直交する方向に沿って配置されている場合には、位置の調整を行うに際して転写装置５８を装置本体１０Ａから引き出す必要があり、位置の調整が困難となる。
【００７３】
また、これら一対の調整ネジ１０６Ｆ，１０６Ｒが共に一次転写ロール６７の軸方向における一端側（画像形成装置１０の正面側）から回転操作可能とされているので、位置の調整をさらに容易に行える。これに対し、一対の調整ネジ１０６Ｆ，１０６Ｒがそれぞれ一次転写ロール６７の軸方向における両側（画像形成装置１０の正面側と背面側）から回転操作可能とされている場合には、位置の調整が困難となる。
【００７４】
また、この軸受装置１００を備える画像形成装置１０においては、一次転写ロール６７の中間転写ベルト６８を押圧する押圧力の調整および一次転写ロール６７の位置の調整を行えるので、形成画像の画質の調整が容易となる。
【００７５】
なお、上記では、軸受装置１００として一次転写ロール６７を軸受するものについて説明したが、この軸受装置１００を搬送ロール６３、張力付与ロール６５、補助ロール６９および駆動ロール６１に適用してもよい。
【００７６】
また、移動部材１１０Ｆ，１１０Ｒ，１１２Ｆ，１１２Ｒの傾斜面１２６Ｆ，１２６Ｒ，１２８Ｆ，１２８Ｒに調整ネジ１０６Ｆ，１０６Ｒ，１０８Ｆ，１０８Ｒを直接接触させる構成としたが、傾斜面１２６Ｆ，１２６Ｒ，１２８Ｆ，１２８Ｒに対向接触する傾斜面を有しＹ方向のみに移動自在な楔状部材を傾斜面１２６Ｆ，１２６Ｒ，１２８Ｆ，１２８Ｒと調整ネジ１０６Ｆ，１０６Ｒ，１０８Ｆ，１０８Ｒとの間に介在させる構成としてもよい。
【００７７】
また、移動部材１１０Ｆ，１１０Ｒ，１１２Ｆ，１１２Ｒに傾斜面１２６Ｆ，１２６Ｒ，１２８Ｆ，１２８Ｒを形成し、調整ネジ１０６Ｆ，１０６Ｒ，１０８Ｆ，１０８ＲのＹ方向の変位に応じて移動部材１１０Ｆ，１１０Ｒ，１１２Ｆ，１１２ＲをＹ方向に直交する方向に移動させるように構成したが、ウオームギア機構あるいは傘歯ギア機構を利用し、調整ネジ１０６Ｆ，１０６Ｒ，１０８Ｆ，１０８ＲのＹ方向の変位に応じて移動部材１１０Ｆ，１１０Ｒ，１１２Ｆ，１１２ＲをＹ方向に直交する方向に移動させるように構成してもよい。
【符号の説明】
【００７８】
１０   画像形成装置
５８   転写装置
６２   感光体（像保持体の一例）
６８   中間転写ベルト（無端状ベルトの一例）
７０   現像装置
１００ 軸受装置
１０２ 軸受部
１０４ 軸受部材
１０６ 調整ネジ
１０８ 調整ネジ
１１０ 移動部材
１１２ 移動部材
１１４ 圧縮コイルバネ（弾性部材の一例）
１２６ 傾斜面
１２８ 傾斜面
Ｐ     記録用紙（記録媒体の一例）
【図１】
0005831088.tif 000002
【図２】
0005831088.tif 000003
【図３】
0005831088.tif 000004
【図４】
0005831088.tif 000005
【図５】
0005831088.tif 000006
【図６】
0005831088.tif 000007
【図７】
0005831088.tif 000008